(57)【要約】【課題】蛍光要素の位置を切り替えるための回転機構を搭載することなく、きわめて簡単かつ小型な構成によってポンプ光の導光設計を容易に実行可能な照明装置及び照明方法を提供する。【解決手段】照明装置１０は、ポンプ光Ｌｐを放射するポンプ光源１２と、互いに平行な位置関係下に対向配置される一対の平面ミラー１４と、一対の平面ミラー１４の離間長さを変更可能なボイスコイル３２と、ポンプ光Ｌｐの受光に応じて蛍光Ｒを放射する複数の蛍光要素３６、３８とを備える。各々の蛍光要素３６、３８は、ポンプ光Ｌｐが、一対の平面ミラー１４の隙間３２に入射し隙間３２にて複数回反射した後に一対の平面ミラー１４から出射する、いずれか１つの光路Ｔ１、Ｔ２上に位置する。【選択図】図１
2017142900.tif 000002
【特許請求の範囲】
【請求項１】
ポンプ光を放射するポンプ光源と、
互いに平行な位置関係下に対向配置される一対の平面ミラーと、
前記一対の平面ミラーを法線方向に沿って相対移動させることで、前記一対の平面ミラーの離間長さを変更可能な直線移動手段と、
前記ポンプ光の受光に応じて前記ポンプ光とは分光放射特性が異なる蛍光を放射する複数の蛍光要素と
を備え、
前記ポンプ光源及び各々の前記蛍光要素は、前記一対の平面ミラーの外側に配置され、
各々の前記蛍光要素は、前記ポンプ光源から放射される前記ポンプ光が、前記一対の平面ミラーの隙間に入射し該隙間にて複数回反射した後に前記一対の平面ミラーから出射する、いずれか１つの光路上に位置することを特徴とする照明装置。
【請求項２】
前記直線移動手段は、少なくとも、前記離間長さが異なる第１相対位置及び第２相対位置に前記一対の平面ミラーを相対移動可能であり、
前記一対の平面ミラーは、前記第２相対位置に対応する前記ポンプ光の出射方向が、前記第１相対位置に対応する前記ポンプ光の出射方向に一致するように構成される
ことを特徴とする請求項１に記載の照明装置。
【請求項３】
前記直線移動手段は、少なくとも、前記離間長さが異なる第１相対位置及び第２相対位置に前記一対の平面ミラーを相対移動可能であり、
前記一対の平面ミラーは、前記第２相対位置に対応する前記ポンプ光の出射方向が、前記第１相対位置に対応する前記ポンプ光の出射方向と異なるように構成される
ことを特徴とする請求項１に記載の照明装置。
【請求項４】
前記一対の平面ミラーは、前記第２相対位置に対応する前記ポンプ光の反射回数が、前記第１相対位置に対応する前記ポンプ光の反射回数に等しくなるように構成されることを特徴とする請求項２に記載の照明装置。
【請求項５】
前記一対の平面ミラーは、前記第２相対位置に対応する前記ポンプ光の反射回数が、前記第１相対位置に対応する前記ポンプ光の反射回数と異なるように構成されることを特徴とする請求項２又は３に記載の照明装置。
【請求項６】
前記直線移動手段は、前記一対の平面ミラーのうちの一方に設けられた１つの直線アクチュエータであることを特徴とする請求項１〜５のいずれか１項に記載の照明装置。
【請求項７】
前記直線移動手段は、前記一対の平面ミラーの両方に１つずつ設けられた２つの直線アクチュエータであることを特徴とする請求項１〜５のいずれか１項に記載の照明装置。
【請求項８】
前記直線移動手段は、ボイスコイル、ソレノイド又はピエゾ素子であることを特徴とする請求項１〜７のいずれか１項に記載の照明装置。
【請求項９】
ポンプ光を放射するポンプ光源と、前記ポンプ光の受光に応じて前記ポンプ光とは分光放射特性が異なる蛍光を放射する複数の蛍光要素を用いた照明方法であって、
互いに平行な位置関係下に対向配置される一対の平面ミラーの外側に前記ポンプ光源及び各々の前記蛍光要素を配置する配置ステップと、
前記一対の平面ミラーを法線方向に沿って相対移動させることで、前記一対の平面ミラーの離間長さを変更する移動ステップと、
前記ポンプ光源が前記ポンプ光を放射する放射ステップと
を備え、
各々の前記蛍光要素は、放射される前記ポンプ光が、前記一対の平面ミラーの隙間に入射し該隙間にて複数回反射した後に前記一対の平面ミラーから出射する、いずれか１つの光路上に位置することを特徴とする照明方法。
【発明の詳細な説明】
【技術分野】
【０００１】
本発明は、ポンプ光源からのポンプ光を蛍光要素に向けて照射し、ポンプ光とは分光放射特性が異なる蛍光を発生させる照明装置及び照明方法に関する。
【背景技術】
【０００２】
従来から、例えば映像機器分野において、ポンプ光源からのポンプ光を蛍光要素に向けて照射し、ポンプ光とは分光放射特性が異なる蛍光を発生させる照明装置が開発されている。プロジェクション用途の照明装置では、広範囲の色域にて色再現可能な画素を形成するため、複数の原色（例えば、ＲＧＢ）に対応する複数本の光線を略同じ位置に導光させる必要がある。この実現方法の１つとして、ポンプ光を照射させる蛍光要素の種類を高速かつ周期的に変更し、いわゆる「時分割」により複数本の光線を得る手法が挙げられる。
【０００３】
上記した手法の代表例として、高速で回転可能な蛍光体ホイールを、ポンプ光源とＤＭＤ（Digital Micromirror Device）の間に配置する「１チップＤＬＰ（Digital Light Processing）」がある。特に、特許文献１に記載されている、ポンプ光源としてレーザダイオード（ＬＤ；Laser Diode）を用いる技術は、ＬＡＳＰ（Laser Activated Remote Phosphor）システムと呼ばれる。
【先行技術文献】
【特許文献】
【０００４】
【特許文献１】特許第５７１４０８９号公報
【発明の概要】
【発明が解決しようとする課題】
【０００５】
ところで、このＬＡＳＰシステムを含む照明装置では、蛍光体ホイールの熱負荷を軽減させるため、蛍光要素の表面積をより大きくすることが望まれる。その反面、蛍光体ホイールのサイズを大きくすることで、その分だけ照明装置の全体構成が大型化するため望ましくない。
【０００６】
また、この種の照明装置では、蛍光体ホイールの回転動作に伴う振動ノイズが発生し易くなると共に、高速な回転動作に関わる機構的制約を受け易いという問題もある。このように、特に装置サイズの観点で、改良の余地が十分に残されている。
【０００７】
本発明は、上述した課題に鑑みてなされたものであり、蛍光要素の位置を切り替えるための回転機構を搭載することなく、きわめて簡単かつ小型な構成によってポンプ光の導光設計を容易に実行可能な照明装置及び照明方法を提供することを目的とする。
【課題を解決するための手段】
【０００８】
本発明に係る「照明装置」は、ポンプ光を放射するポンプ光源と、互いに平行な位置関係下に対向配置される一対の平面ミラーと、前記一対の平面ミラーを法線方向に沿って相対移動させることで、前記一対の平面ミラーの離間長さを変更可能な直線移動手段と、前記ポンプ光の受光に応じて前記ポンプ光とは分光放射特性が異なる蛍光を放射する複数の蛍光要素を備え、前記ポンプ光源及び各々の前記蛍光要素は、前記一対の平面ミラーの外側に配置され、各々の前記蛍光要素は、前記ポンプ光源から放射される前記ポンプ光が、前記一対の平面ミラーの隙間に入射し該隙間にて複数回反射した後に前記一対の平面ミラーから出射する、いずれか１つの光路上に位置する。
【０００９】
ポンプ光は、一対の平面ミラーの離間長さにかかわらず、入射角及び反射角を一定に保って反射を繰り返しながら隙間を進行する。そのため、直線移動手段による離間長さの変更に伴って、変更量及び反射回数に比例する反射位置のずれが発生する。そこで、この光反射の挙動を適切に制御することで、一対の平面ミラーからの出射角を一定にしながら、出射後におけるポンプ光の光路を自由に設計可能となる。
【００１０】
その結果、一対の平面ミラーの出射側光路上に位置するいずれか１つの蛍光要素に対してポンプ光が確実に照射される。これにより、蛍光要素の位置を切り替えるための回転機構を搭載することなく、きわめて簡単かつ小型な構成によってポンプ光の導光設計を容易に実行できる。
【００１１】
また、上記した構成を採用することで、いわゆる空間分割によって蛍光の発生箇所を制御可能となる。例えば、直線移動手段を用いて蛍光要素の分散制御を適切に行う場合、蛍光要素の熱負荷を均一化し、局所的な増加を抑制し得るという利点がある。
【００１２】
また、前記直線移動手段は、少なくとも、前記離間長さが異なる第１相対位置及び第２相対位置に前記一対の平面ミラーを相対移動可能であり、前記一対の平面ミラーは、前記第２相対位置に対応する前記ポンプ光の出射方向が、前記第１相対位置に対応する前記ポンプ光の出射方向に一致するように構成されてもよい。これに代えて、前記一対の平面ミラーは、前記第２相対位置に対応する前記ポンプ光の出射方向が、前記第１相対位置に対応する前記ポンプ光の出射方向と異なるように構成されてもよい。
【００１３】
また、前記一対の平面ミラーは、前記第２相対位置に対応する前記ポンプ光の反射回数が、前記第１相対位置に対応する前記ポンプ光の反射回数に等しくなるように構成されてもよい。これに代えて、前記一対の平面ミラーは、前記第２相対位置に対応する前記ポンプ光の反射回数が、前記第１相対位置に対応する前記ポンプ光の反射回数と異なるように構成されてもよい。
【００１４】
また、前記直線移動手段は、前記一対の平面ミラーのうちの一方に設けられた１つの直線アクチュエータであってもよい。これに代えて、前記直線移動手段は、前記一対の平面ミラーの両方に１つずつ設けられた２つの直線アクチュエータであってもよい。前記直線移動手段は、ボイスコイル、ソレノイド又はピエゾ素子であることが好ましい。
【００１５】
本発明に係る「照明方法」は、ポンプ光を放射するポンプ光源と、前記ポンプ光の受光に応じて前記ポンプ光とは分光放射特性が異なる蛍光を放射する複数の蛍光要素を用いた方法であって、互いに平行な位置関係下に対向配置される一対の平面ミラーの外側に前記ポンプ光源及び各々の前記蛍光要素を配置する配置ステップと、前記一対の平面ミラーを法線方向に沿って相対移動させることで、前記一対の平面ミラーの離間長さを変更する移動ステップと、前記ポンプ光源が前記ポンプ光を放射する放射ステップを備え、各々の前記蛍光要素は、放射される前記ポンプ光が、前記一対の平面ミラーの隙間に入射し該隙間にて複数回反射した後に前記一対の平面ミラーから出射する、いずれか１つの光路上に位置する。
【発明の効果】
【００１６】
本発明に係る照明装置及び照明方法によれば、蛍光要素の位置を切り替えるための回転機構を搭載することなく、きわめて簡単かつ小型な構成によってポンプ光の導光制御を容易に実行できる。
【図面の簡単な説明】
【００１７】
【図１】第１実施形態に係る照明装置の全体構成図である。
【図２】図２（ａ）は、図１に示す導光部の拡大平面図である。図２（ｂ）は、図１に示す導光部の拡大側面図である。
【図３】図３（ａ）は、第１実施形態の変形例に係る導光部の拡大平面図である。図３（ｂ）は、第１実施形態の変形例に係る導光部の拡大側面図である。
【図４】第２実施形態に係る照明装置の全体構成図である。
【図５】図５（ａ）は、図４に示す導光部に含まれる一対の平面ミラーの拡大平面図である。図５（ｂ）は、図４に示す導光部に含まれる一対の平面ミラーの拡大側面図である。
【図６】図６（ａ）は、第２実施形態の変形例に係る導光部の拡大平面図である。図６（ｂ）は、第２実施形態の変形例に係る導光部の拡大側面図である。
【図７】第３実施形態に係る照明装置の全体構成図である。
【発明を実施するための形態】
【００１８】
以下、本発明に係る照明装置について、照明方法との関係において好適な実施形態を挙げ、添付の図面を参照しながら説明する。
【００１９】
［第１実施形態］
＜照明装置１０の全体構成＞
図１は、第１実施形態に係る照明装置１０の全体構成図である。この照明装置１０は、ポンプ光源１２と、一対の平面ミラー１４で構成される導光部１６と、ミラー駆動部１８と、蛍光発生部２０を含む。
【００２０】
ポンプ光源１２は、ポンプ光Ｌｐ（或いは、励起光）を放射可能な１つ又は複数の発光素子を有する。発光素子は、例えば、概ね４００〜４７０ｎｍの波長範囲にピークをもつ分光放射特性を有する青色レーザダイオードで構成される。
【００２１】
一対の平面ミラー１４は、第１平面ミラー２４及び第２平面ミラー２６を互いに平行な位置関係下に対向配置してなる。第１平面ミラー２４はミラー駆動部１８により移動可能に配置されると共に、第２平面ミラー２６は固定配置されている。なお、一対の平面ミラー１４の一方の外側にはポンプ光源１２が配置されると共に、一対の平面ミラー１４の他方の外側には蛍光発生部２０が配置されている。
【００２２】
ミラー駆動部１８は、一対の平面ミラー１４を法線方向に沿って相対移動させる駆動手段である。ミラー駆動部１８は、ビデオ信号を含む入力信号に基づいて駆動波形信号を生成する波形生成部２８と、生成された駆動波形信号を増幅する増幅器３０と、増幅された駆動波形信号に応じて伸縮可能なボイスコイル３２（直線移動手段）と、第１平面ミラー２４の現在位置又は移動タイミングを検出可能な位置時間センサ３４を備える。
【００２３】
ボイスコイル３２は、その一端側が第１平面ミラー２４の外側面（反射面の逆側）に直結されている。これにより、振動板としての第１平面ミラー２４は、ボイスコイル３２の伸縮動作に応じて、第１平面ミラー２４の法線方向に沿って振動する。波形生成部２８は、位置時間センサ３４からの検出信号に基づいて、第１平面ミラー２４の移動に関する同期制御を実行する。
【００２４】
なお、ボイスコイル３２に代わって、ソレノイド、ピエゾ素子を含む直線アクチュエータ、つまり、一対の平面ミラー１４の離間長さを変更可能な様々な直線移動手段を採用してもよい。応答性及びコストの観点から、ボイスコイル、ソレノイド又はピエゾ素子の何れかであることが好ましい。
【００２５】
蛍光発生部２０は、複数（ここでは２つ）の蛍光要素３６、３８と、１つのヒートシンク４０と、２つの集光光学系４２、４４と、２つのダイクロイックミラー４６、４８を備える。蛍光要素３６、３８は、ポンプ光Ｌｐの受光をトリガとして、ポンプ光Ｌｐ（青色光）とは異なる分光放射特性を有する蛍光Ｒを放射する。蛍光要素３６、３８は、例えば、赤色光を主成分とする蛍光Ｒを放射する蛍光体から構成される。
【００２６】
なお、蛍光要素３６は、ボイスコイル３２の「オフ動作」の際に形成される第１光路Ｔ１の上に位置する。また、蛍光要素３８は、ボイスコイル３２の「オン動作」の際に形成される第２光路Ｔ２の上に位置する。図示の便宜上、第１光路Ｔ１、第２光路Ｔ２の位置及び形状を誇張して描画している。
【００２７】
ヒートシンク４０は、例えばアルミニウムを含む金属で構成され、蛍光要素３６、３８の発熱を外部に逃がす放熱器である。本図例では、共通するヒートシンク４０の上に、複数の蛍光要素３６、３８が所定の間隔だけ離れて配置されている。
【００２８】
集光光学系４２は、１つ又は複数のレンズから構成され、第１光路Ｔ１の光軸上であって蛍光要素３６の直上に配置されている。これにより、集光光学系４２は、蛍光要素３６に向かうポンプ光Ｌｐを集光すると共に、蛍光要素３６からの蛍光Ｒを集光する。一方、集光光学系４４は、１つ又は複数のレンズから構成され、第２光路Ｔ２の光軸上であって蛍光要素３８の直上に配置されている。これにより、集光光学系４４は、蛍光要素３８に向かうポンプ光Ｌｐを集光すると共に、蛍光要素３８からの蛍光Ｒを集光する。
【００２９】
ダイクロイックミラー４６、４８は、特定の波長範囲の光を反射すると共に、残りの波長範囲の光を透過する光選択部材である。ダイクロイックミラー４６、４８は、例えば、蛍光Ｒの波長成分を反射する光学部材から構成される。
【００３０】
ダイクロイックミラー４６は、第１光路Ｔ１上であって、一対の平面ミラー１４と集光光学系４２の間に配置されている。これにより、ダイクロイックミラー４６は、蛍光要素３６に向かうポンプ光Ｌｐを透過すると共に、蛍光要素３６からの蛍光Ｒを反射する。一方、ダイクロイックミラー４８は、第２光路Ｔ２上であって、一対の平面ミラー１４と集光光学系４４の間に配置されている。これにより、ダイクロイックミラー４８は、蛍光要素３８に向かうポンプ光Ｌｐを透過すると共に、蛍光要素３８からの蛍光Ｒを反射する。
【００３１】
＜照明装置１０の動作＞
第１実施形態に係る照明装置１０は、以上のように構成される。続いて、照明装置１０による照明動作について説明する。
【００３２】
ボイスコイル３２の「オフ動作」の際、一対の平面ミラー１４は、初期位置の状態（以下、第１相対位置ともいう）にある。このとき、ポンプ光源１２から放射されたポンプ光Ｌｐは、一対の平面ミラー１４の隙間２２に入射し、隙間２２にて複数回反射した後、一対の平面ミラー１４から出射する。
【００３３】
一対の平面ミラー１４からのポンプ光Ｌｐは、第１光路Ｔ１に沿って、ダイクロイックミラー４６及び集光光学系４２を通過し、蛍光要素３６に到達する。蛍光要素３６により放射された蛍光Ｒは、第１光路Ｔ１に沿って、集光光学系４２を通過し、ダイクロイックミラー４６を反射する。これにより、照明装置１０は、第１光路Ｔ１に対応する蛍光Ｒを出力する。
【００３４】
一方、ボイスコイル３２の「オン動作」の際、一対の平面ミラー１４は、近接位置の状態（以下、第２相対位置ともいう）にある。このとき、ポンプ光源１２から放射されたポンプ光Ｌｐは、一対の平面ミラー１４の隙間２２に入射し、隙間２２にて複数回反射した後、一対の平面ミラー１４から出射する。
【００３５】
一対の平面ミラー１４からのポンプ光Ｌｐは、第１光路Ｔ１とは異なる第２光路Ｔ２に沿って、ダイクロイックミラー４８を透過し、集光光学系４４を通過した後、蛍光要素３８に到達する。蛍光要素３８により放射された蛍光Ｒは、第２光路Ｔ２に沿って、集光光学系４４を通過し、ダイクロイックミラー４８を反射する。これにより、照明装置１０は、第２光路Ｔ２に対応する蛍光Ｒを出力する。
【００３６】
＜導光部１６に関する光学設計例＞
続いて、導光部１６に関する光学設計例について図２を参照しながら詳細に説明する。図２（ａ）は、図１に示す導光部１６の拡大平面図である。図２（ｂ）は、図１に示す導光部１６の拡大側面図である。
【００３７】
第１平面ミラー２４及び第２平面ミラー２６はいずれも、一方向に延び、かつ延在長さがＡである矩形平板状を有する。第２平面ミラー２６は、初期位置にある第１平面ミラー２４に対して離間長さＤだけ離れて位置する。ここで、「初期位置」とは、ボイスコイル３２の「オフ動作」時における第１平面ミラー２４の位置である。また、このときの一対の平面ミラー１４の位置状態が「第１相対位置」に対応する。
【００３８】
ポンプ光Ｌｐは、一対の平面ミラー１４の隙間２２に向けて、一対の平面ミラー１４の法線方向（つまり離間方向）に対して斜め方向（入射角がθ）から入射する。そして、ポンプ光Ｌｐは、第２平面ミラー２６の反射面上の位置Ｐ１（入射側の端面からの距離Δ）に到達し、反射角がθとなる角度方向に反射される。その後、ポンプ光Ｌｐは、第１平面ミラー２４の反射面上の位置Ｐ２に到達し、反射角がθとなる角度方向に反射される。
【００３９】
ポンプ光Ｌｐは、第２平面ミラー２６の反射面上の位置Ｐ３に到達し、反射角がθとなる角度方向に反射される。なお、簡単な幾何学的考察により、２つの位置Ｐ１、Ｐ３の距離は、２Ｄｔａｎθであることが導かれる。
【００４０】
このように、ポンプ光Ｌｐは、第２平面ミラー２６の位置Ｐ１、第１平面ミラー２４の位置Ｐ２、第２平面ミラー２６の位置Ｐ３、第１平面ミラー２４の位置Ｐ４、第２平面ミラー２６の位置Ｐ５、第１平面ミラー２４の位置Ｐ６、第２平面ミラー２６の位置Ｐ７、及び第１平面ミラー２４の位置Ｐ８にて順次反射される。つまり、ポンプ光Ｌｐは、第１光路Ｔ１に沿って、一対の平面ミラー１４の隙間２２に入射し、この隙間２２にて第１平面ミラー２４及び第２平面ミラー２６で４回ずつ（通算８回）反射した後に、一対の平面ミラー１４から出射する。
【００４１】
一方、ボイスコイル３２のオン動作時には、第１平面ミラー２４は、法線方向に沿って第２平面ミラー２６に近づく方向に振動量Ｖだけ移動する。つまり、第２平面ミラー２６は、近接位置にある第１平面ミラー２４に対して、離間長さ（Ｄ−Ｖ）だけ離れて位置する。ここで、「近接位置」とは、ボイスコイル３２の「オン動作」時における第１平面ミラー２４の位置に相当する。また、このときの一対の平面ミラー１４の位置状態が「第２相対位置」に対応する。
【００４２】
ポンプ光Ｌｐは、一対の平面ミラー１４の隙間２２に向けて、一対の平面ミラー１４の法線方向に対して斜め方向（入射角がθ）から入射する。そして、ポンプ光Ｌｐは、第２平面ミラー２６の反射面上の位置Ｑ１に到達し、反射角がθとなる角度方向に反射される。ここで、ポンプ光源１２及び第２平面ミラー２６はそれぞれ固定配置されているので、位置Ｑ１は位置Ｐ１に一致する。
【００４３】
その後、ポンプ光Ｌｐは、第１平面ミラー２４の反射面上の位置Ｑ２に到達し、反射角がθとなる角度方向に反射される。ここで、一対の平面ミラー１４の隙間２２（離間長さ）がＶだけ小さくなっているので、位置Ｑ２は、入射側の端面を基準として位置Ｐ２よりも所定距離（Ｖｔａｎθ）だけ手前側にある。なお、両者の光線同士の離間長さは、Ｖ／ｃｏｓθとなる。
【００４４】
ポンプ光Ｌｐは、第２平面ミラー２６の反射面上の位置Ｑ３に到達し、反射角がθとなる角度方向に反射される。なお、簡単な幾何学的考察により、２つの位置Ｑ１、Ｑ３の距離は、２（Ｄ−Ｖ）ｔａｎθであることが導かれる。
【００４５】
このように、ポンプ光Ｌｐは、第２平面ミラー２６の位置Ｑ１、第１平面ミラー２４の位置Ｑ２、第２平面ミラー２６の位置Ｑ３、第１平面ミラー２４の位置Ｑ４、第２平面ミラー２６の位置Ｑ５、第１平面ミラー２４の位置Ｑ６、第２平面ミラー２６の位置Ｑ７、及び第１平面ミラー２４の位置Ｑ８にて順次反射される。つまり、ポンプ光Ｌｐは、第２光路Ｔ２に沿って、一対の平面ミラー１４の隙間２２に入射し、この隙間２２にて第１平面ミラー２４及び第２平面ミラー２６で４回ずつ（通算８回）反射した後に、一対の平面ミラー１４から出射する。
【００４６】
ところで、上記したポンプ光Ｌｐの挙動を実現するため、一対の平面ミラー１４の形状及び配置に関する以下の設計条件を満たす必要がある。ここで、ｎ（自然数）は、第１平面ミラー２４及び第２平面ミラー２６での各反射回数であり、隙間２２での通算反射回数は（２ｎ）回となる。なお、式（１）及び式（２）の関係式は、簡単な幾何学的考察により求めることができる。
【００４７】
（２ｎ−１）Ｄｔａｎθ＜Ａ−Δ＜２ｎ（Ｄ−Ｖ）ｔａｎθ  ‥（１）
Ｄ＞（２ｎ＋１）Ｖ                                      ‥（２）
【００４８】
＜第１実施形態による効果＞
以上のように、第１実施形態に係る照明装置１０は、［１］ポンプ光Ｌｐを放射するポンプ光源１２と、［２］互いに平行な位置関係下に対向配置される一対の平面ミラー１４と、［３］一対の平面ミラー１４を法線方向に沿って相対移動させることで、一対の平面ミラー１４の離間長さを変更可能なボイスコイル３２と、［４］ポンプ光Ｌｐの受光に応じてポンプ光Ｌｐとは分光放射特性が異なる蛍光Ｒを放射する複数の蛍光要素３６、３８と、を備える。
【００４９】
そして、［５］ポンプ光源１２及び各々の蛍光要素３６、３８は、一対の平面ミラー１４の外側に配置され、［６］各々の蛍光要素３６、３８は、ポンプ光源１２から放射されるポンプ光Ｌｐが、一対の平面ミラー１４の隙間２２に入射し隙間２２にて複数回反射した後に一対の平面ミラー１４から出射する、いずれか１つの光路（第１光路Ｔ１、第２光路Ｔ２）上に位置する。
【００５０】
特に、第１実施形態では、［７］ボイスコイル３２は、一対の平面ミラー１４のうちの一方（第１平面ミラー２４）に設けられており、［８］ボイスコイル３２は、少なくとも、離間長さが異なる第１相対位置及び第２相対位置に一対の平面ミラー１４を相対移動可能であり、［９］第２相対位置に対応するポンプ光Ｌｐの出射方向が、第１相対位置に対応するポンプ光Ｌｐの出射方向に一致し、［１０］第２相対位置に対応するポンプ光Ｌｐの反射回数が、第１相対位置に対応するポンプ光Ｌｐの反射回数に等しい。
【００５１】
また、第１実施形態に係る照明方法は、［１］互いに平行な位置関係下に対向配置される一対の平面ミラー１４の外側にポンプ光源１２及び各々の蛍光要素３６、３８を配置する配置ステップと、［２］一対の平面ミラー１４を法線方向に沿って相対移動させることで、一対の平面ミラー１４の離間長さを変更する移動ステップと、［３］ポンプ光源１２がポンプ光Ｌｐを放射する放射ステップと、を備える。
【００５２】
ポンプ光Ｌｐは、一対の平面ミラー１４の離間長さにかかわらず、入射角及び反射角を一定（θ）に保って反射を繰り返しながら隙間２２を進行する。そのため、ボイスコイル３２による離間長さの変更に伴って、変更量（Ｖ）及び反射回数に比例する反射位置のずれが発生する。そこで、この光反射の挙動を適切に制御することで、一対の平面ミラー１４からの出射角を一定にしながら、出射後におけるポンプ光Ｌｐの光路を自由に設計可能となる。
【００５３】
その結果、一対の平面ミラー１４の出射側光路上に位置するいずれか１つの蛍光要素３６、３８に対してポンプ光Ｌｐが確実に照射される。これにより、蛍光要素３６、３８の位置を切り替えるための回転機構を搭載することなく、きわめて簡単かつ小型な構成によってポンプ光Ｌｐの導光設計を容易に実行できる。
【００５４】
また、上記した構成を採用することで、いわゆる空間分割によって蛍光Ｒの発生箇所を制御可能となる。例えば、ボイスコイル３２を用いて蛍光要素３６、３８の分散制御を適切に行う場合、蛍光要素３６、３８の熱負荷を均一化し、局所的な増加を抑制し得るという利点がある。
【００５５】
［第１実施形態の変形例］
＜導光部５０に関する光学設計例＞
次いで、第１実施形態の変形例に係る導光部５０について図３を参照しながら詳細に説明する。図３（ａ）は、第１実施形態の変形例に係る導光部５０の拡大平面図である。図３（ｂ）は、第１実施形態の変形例に係る導光部５０の拡大側面図である。この導光部５０は、図１に示す照明装置１０に適用する場合、導光部１６に代わって組み込まれる。
【００５６】
導光部５０としての一対の平面ミラー５２は、第１平面ミラー５４及び第２平面ミラー５６を互いに平行な位置関係下に対向配置してなる。第１平面ミラー５４はミラー駆動部１８（図１）により移動可能に配置されると共に、第２平面ミラー５６は固定配置されている。第１平面ミラー５４及び第２平面ミラー５６はいずれも、一方向に延び、かつ延在長さがＡ１である矩形平板状を有する。
【００５７】
第２平面ミラー５６は、非透光性の非透光部５７と、非透光部５７の略中央に配された透光性の透光部５８とから構成される。非透光部５７のうち入射側部分の延在長さはＡ２であり、透光部５８の幅がＷである。この場合、非透光部５７のうち出射側部分の延在長さは（Ａ１−Ａ２−Ｗ）となる。
【００５８】
ボイスコイル３２のオフ動作（第１平面ミラー５４の初期位置）の際に、ポンプ光Ｌｐは、位置Ｐ１、Ｐ２、Ｐ３、Ｐ４、Ｐ５、Ｐ６、Ｐ７、及びＰ８にて順次反射される。つまり、ポンプ光Ｌｐは、実線で示す第１光路Ｔ１に沿って、一対の平面ミラー５２の隙間２２に入射し、この隙間２２にて第１平面ミラー５４及び第２平面ミラー５６で４回ずつ（通算８回）反射した後に、一対の平面ミラー５２から出射する。
【００５９】
一方、ボイスコイル３２のオン動作（第１平面ミラー５４の近接位置）の際に、ポンプ光Ｌｐは、位置Ｑ１、Ｑ２、Ｑ３、及びＱ４にて順次反射される。そして、ポンプ光Ｌｐは、第２平面ミラー５６の透光部５８に対応する位置Ｑ５に到達し、反射されることなく透光部５８をそのまま透過する。つまり、ポンプ光Ｌｐは、鎖線で示す第２光路Ｔ２に沿って、一対の平面ミラー５２の隙間２２に入射し、この隙間２２にて第１平面ミラー５４及び第２平面ミラー５６で２回ずつ（通算４回）反射した後に、一対の平面ミラー５４から出射する。
【００６０】
ところで、上記したポンプ光Ｌｐの挙動を実現するため、一対の平面ミラー５２の形状及び配置に関する以下の設計条件を満たす必要がある。なお、式（３）〜式（６）の関係式は、簡単な幾何学的考察により求めることができる。
【００６１】
（２ｎ−１）Ｄｔａｎθ＜Ａ１−Δ＜２ｎ（Ｄ−Ｖ）ｔａｎθ  ‥（３）
Ａ２−Δ＜（２ｍ＋１）（Ｄ−Ｖ）ｔａｎθ＜Ａ２＋Ｗ−Δ    ‥（４）
Ａ２＋Ｗ−Δ＜（２ｍ＋１）Ｄｔａｎθ                      ‥（５）
Ｄ＞（２ｎ＋１）Ｖ                                        ‥（６）
【００６２】
ここで、ｎ（ｎ＞１を満たす整数）は、第１光路Ｔ１における第１平面ミラー５４及び第２平面ミラー５６での各反射回数であり、隙間２２での通算反射回数は（２ｎ）回となる。また、ｍ（ｍ＜ｎを満たす自然数）は、第２光路Ｔ１における第２平面ミラー５６での反射回数であり、隙間２２での通算反射回数は（２ｍ＋１）回となる。
【００６３】
＜まとめ＞
このように、第１実施形態とは異なり、一対の平面ミラー５２は、第２相対位置に対応するポンプ光Ｌｐの反射回数（＝２ｍ）が、第１相対位置に対応するポンプ光Ｌｐの反射回数（＝２ｎ）と異なってもよい。この場合、両者の反射回数の差は、０を除く偶数となる。
【００６４】
［第２実施形態］
＜照明装置８０の全体構成＞
図４は、第２実施形態に係る照明装置８０の全体構成図である。この照明装置８０は、ポンプ光源１２と、一対の平面ミラー８２及び方向転換ミラー８４で構成される導光部８６と、ミラー駆動部１８と、蛍光発生部８８を含む。以下、第１実施形態と同様の構成要素については同一の参照符号を付すると共にその説明を適宜省略する。
【００６５】
一対の平面ミラー８２は、第１平面ミラー９０及び第２平面ミラー９２を互いに平行な位置関係下に対向配置してなる。第１平面ミラー９０はミラー駆動部１８により移動可能に配置されると共に、第２平面ミラー９２は固定配置されている。なお、第１実施形態と同様に、一対の平面ミラー８２の一方の外側にはポンプ光源１２が配置されると共に、一対の平面ミラー８２の他方の外側には蛍光発生部８８が配置されている。
【００６６】
蛍光発生部８８は、第１実施形態と基本的には同じ構成であるが、１つのヒートシンク４０に代わって、２つのヒートシンク９４、９６を備える。ヒートシンク９４、９６は、例えばアルミニウムを含む金属で構成され、蛍光要素３６、３８の発熱を外部に逃がす放熱器である。本図例では、別々のヒートシンク９４、９６の上に、複数の蛍光要素３６、３８が所定の間隔だけ離れて配置されている。
【００６７】
なお、蛍光要素３６は、ボイスコイル３２の「オフ動作」の際に形成される第１光路Ｔ１の光軸上に位置する。また、蛍光要素３８は、ボイスコイル３２の「オン動作」の際に形成される第２光路Ｔ２の光軸上に位置する。本図から理解されるように、第１光路Ｔ１は、第２平面ミラー９２側に配置された方向転換ミラー８４により、蛍光発生部８８に向かうように変更されている。
【００６８】
＜照明装置８０の動作＞
第２実施形態に係る照明装置８０は、以上のように構成される。続いて、照明装置８０による照明動作について説明する。
【００６９】
ボイスコイル３２の「オフ動作」の際、一対の平面ミラー８２は、初期位置の状態（第１相対位置）にある。このとき、ポンプ光源１２から放射されたポンプ光Ｌｐは、一対の平面ミラー８２の隙間２２に入射し、隙間２２にて複数回反射した後、一対の平面ミラー８２から出射する。一対の平面ミラー８２からのポンプ光Ｌｐは、方向転換ミラー８４を反射した後、蛍光発生部８８に向かって進行する。以下、第１実施形態と同様にして、照明装置８０は、第１光路Ｔ１に対応する蛍光Ｒを出力する。
【００７０】
一方、ボイスコイル３２の「オン動作」の際、一対の平面ミラー８２は、近接位置の状態（第２相対位置）にある。このとき、ポンプ光源１２から放射されたポンプ光Ｌｐは、一対の平面ミラー８２の隙間２２に入射し、隙間２２にて複数回反射した後、一対の平面ミラー８２から出射する。以下、第１実施形態と同様にして、照明装置８０は、第２光路Ｔ２に対応する蛍光Ｒを出力する。
【００７１】
＜導光部８６に関する光学設計例＞
続いて、導光部８６に関する光学設計例について図５を参照しながら詳細に説明する。図５（ａ）は、図４に示す導光部８６に含まれる一対の平面ミラー８２の拡大平面図である。図５（ｂ）は、図４に示す導光部８６に含まれる一対の平面ミラー８２の拡大側面図である。
【００７２】
第１平面ミラー９０及び第２平面ミラー９２はいずれも、一方向に延び、かつ延在長さがＡである矩形平板状を有する。第２平面ミラー９２は、初期位置にある第１平面ミラー９０に対して離間長さＤだけ離れて位置する。第２平面ミラー９２は、近接位置にある第１平面ミラー９０に対して離間長さ（Ｄ−Ｖ）だけ離れて位置する。
【００７３】
ボイスコイル３２のオフ動作（第１平面ミラー９０の初期位置）の際に、ポンプ光Ｌｐは、第１実施形態の場合と同様に、位置Ｐ１、Ｐ２、Ｐ３、Ｐ４、Ｐ５、Ｐ６、Ｐ７、及びＰ８にて順次反射される。つまり、ポンプ光Ｌｐは、第１光路Ｔ１に沿って、一対の平面ミラー８２の隙間２２に入射し、この隙間２２にて第１平面ミラー９０及び第２平面ミラー９２で４回ずつ（通算８回）反射した後に、一対の平面ミラー８２から出射する。
【００７４】
一方、ボイスコイル３２のオン動作（第１平面ミラー９０の近接位置）の際に、ポンプ光Ｌｐは、第１実施形態の場合と同様に、Ｑ１、Ｑ２、Ｑ３、Ｑ４、Ｑ５、Ｑ６、Ｑ７、及びＱ８にて順次反射される。ところが、ポンプ光Ｌｐは、所定の幾何学的条件を満たす場合、第２平面ミラー９２の反射面上の位置Ｑ９に到達し、反射角がθとなる角度方向に更に反射される場合がある。
【００７５】
このとき、ポンプ光Ｌｐは、第２光路Ｔ２に沿って、一対の平面ミラー８２の隙間２２に入射し、第１平面ミラー９０で４回かつ第２平面ミラー９２で５回（通算９回）反射した後に、一対の平面ミラー８２から出射する。
【００７６】
ところで、上記したポンプ光Ｌｐの挙動を実現するため、一対の平面ミラー８２の形状及び配置に関する以下の設計条件を満たす必要がある。ここで、ｎ（自然数）は、第１光路Ｔ１における第１平面ミラー９０及び第２平面ミラー９２での各反射回数である。この場合、第１光路Ｔ１における隙間２２での通算反射回数は（２ｎ）回となり、第２光路Ｔ２における隙間２２での通算反射回数は（２ｎ＋１）回となる。なお、式（７）及び式（８）の関係式は、簡単な幾何学的考察により求めることができる。
【００７７】
（２ｎ＋１）（Ｄ−Ｖ）ｔａｎθ＜Ａ−Δ＜（２ｎ＋１）Ｄｔａｎθ  ‥（７）
Ｄ＞（２ｎ＋２）Ｖ                                              ‥（８）
【００７８】
＜第２実施形態による効果＞
以上のように、第２実施形態に係る照明装置８０は、［１］ポンプ光Ｌｐを放射するポンプ光源１２と、［２］互いに平行な位置関係下に対向配置される一対の平面ミラー８２と、［３］一対の平面ミラー８２を法線方向に沿って相対移動させることで、一対の平面ミラー８２の離間長さを変更可能なボイスコイル３２と、［４］ポンプ光Ｌｐの受光に応じてポンプ光Ｌｐとは分光放射特性が異なる蛍光Ｒを放射する複数の蛍光要素３６、３８を備える。
【００７９】
そして、［５］ポンプ光源１２及び各々の蛍光要素３６、３８は、一対の平面ミラー８２の外側に配置され、［６］各々の蛍光要素３６、３８は、ポンプ光源１２から放射されるポンプ光Ｌｐが、一対の平面ミラー８２の隙間２２に入射し隙間２２にて複数回反射した後に一対の平面ミラー８２から出射する、いずれか１つの光路（第１光路Ｔ１、第２光路Ｔ２）上に位置する。
【００８０】
特に、第２実施形態では、［７］ボイスコイル３２は、一対の平面ミラー８２のうちの一方（第１平面ミラー９０）に設けられており、［８］ボイスコイル３２は、少なくとも、離間長さが異なる第１相対位置及び第２相対位置に一対の平面ミラー８２を相対移動可能であり、［９］第２相対位置に対応するポンプ光Ｌｐの出射方向が、第１相対位置に対応するポンプ光Ｌｐの出射方向と異なり、［１０］第２相対位置に対応するポンプ光Ｌｐの反射回数が、第１相対位置に対応するポンプ光Ｌｐの反射回数と異なる。
【００８１】
また、第２実施形態に係る照明方法は、［１］互いに平行な位置関係下に対向配置される一対の平面ミラー８２の外側にポンプ光源１２及び各々の蛍光要素３６、３８を配置する配置ステップと、［２］一対の平面ミラー８２を法線方向に沿って相対移動させることで、一対の平面ミラー８２の離間長さを変更する移動ステップと、［３］ポンプ光源１２がポンプ光Ｌｐを放射する放射ステップと、を備える。
【００８２】
この構成によっても、蛍光要素３６、３８の位置を切り替えるための回転機構を搭載することなく、きわめて簡単かつ小型な構成によってポンプ光Ｌｐの導光設計を容易に実行できる。
【００８３】
［第２実施形態の変形例］
＜導光部１００に関する光学設計例＞
次いで、第２実施形態の変形例に係る導光部１００について図６を参照しながら詳細に説明する。図６（ａ）は、第２変形例に係る導光部１００の拡大平面図である。図６（ｂ）は、第２実施形態の変形例に係る導光部１００の拡大側面図である。この導光部１００は、図４に示す照明装置８０に適用する場合、導光部８６に代わって組み込まれる。
【００８４】
導光部１００は、一対の平面ミラー１０２と、一対の平面ミラー１０２の延在方向に沿って並んで固定配置される固定ミラー対１０３とを備える。一対の平面ミラー１０２は、第１平面ミラー１０４及び第２平面ミラー１０６を互いに平行な位置関係下に対向配置してなる。第１平面ミラー１０４はミラー駆動部１８（図４）により移動可能に配置されると共に、第２平面ミラー１０６は固定配置されている。
【００８５】
第１平面ミラー１０４及び第２平面ミラー１０６はいずれも、一方向に延び、かつ延在長さがＡ３である矩形平板状を有する。固定ミラー対１０３を構成する各平面ミラーは、一方向に延び、かつ延在長さがＡ４である矩形平板状を有する。なお、一対の平面ミラー１０２と固定ミラー対１０３がなす空間部１０８は、延在長さＡ３、Ａ４よりも小さい幅Ｗを有する。
【００８６】
ボイスコイル３２のオフ動作（第１平面ミラー１０４の初期位置）の際に、ポンプ光Ｌｐは、一対の平面ミラー１０２における反射面上の位置Ｐ１、Ｐ２、Ｐ３、及びＰ４にて順次反射される。つまり、ポンプ光Ｌｐは、実線で示す第１光路Ｔ１に沿って、一対の平面ミラー１０２の隙間２２に入射し、この隙間２２にて第１平面ミラー１０４及び第２平面ミラー１０６で２回ずつ（通算４回）反射した後に、一対の平面ミラー１０２から出射する。
【００８７】
その後、ポンプ光Ｌｐは、固定ミラー対１０３における反射面上の位置Ｐ５、Ｐ６、Ｐ７、及びＰ８にて順次反射される。最終的には、ポンプ光Ｌｐは、実線で示す第１光路Ｔ１に沿って導光部１００に入射し、通算８回反射した後に導光部１００から出射する。
【００８８】
一方、ボイスコイル３２のオン動作（第１平面ミラー１０４の近接位置）の際に、ポンプ光Ｌｐは、一対の平面ミラー１０２における反射面上の位置Ｑ１、Ｑ２、Ｑ３、及びＱ４にて順次反射される。そして、ポンプ光Ｌｐは、空間部１０８に対応する位置Ｑ５に到達し、空間部１０８をそのまま透過する。つまり、ポンプ光Ｌｐは、鎖線で示す第２光路Ｔ２に沿って、一対の平面ミラー１０２の隙間２２に入射し、この隙間２２にて第１平面ミラー１０４及び第２平面ミラー１０６で２回ずつ（通算４回）反射した後に、一対の平面ミラー１０２から出射する。
【００８９】
ところで、上記したポンプ光Ｌｐの挙動を実現するため、一対の平面ミラー１０２の形状及び配置、並びに、固定ミラー対１０３の形状及び配置に関する以下の設計条件を満たす必要がある。なお、式（９）〜式（１２）の関係式は、簡単な幾何学的考察により求めることができる。
【００９０】
（２ｎ−１）Ｄｔａｎθ＜Ａ３＋Ｗ＋Ａ４−Δ＜２（ｎＤ−ｍＶ）ｔａｎθ‥（９）
２ｍＤｔａｎθ＜Ａ３−Δ＜（２ｍ＋１）（Ｄ−Ｖ）ｔａｎθ            ‥（１０）
（２ｍ＋１）（Ｄ−Ｖ）ｔａｎθ＜Ａ３＋Ｗ−Δ＜（２ｍ＋１）Ｄｔａｎθ‥（１１）
Ｄ＞（２ｍ＋１）Ｖ                                                  ‥（１２）
【００９１】
ここで、ｎ（ｎ＞１を満たす整数）は、第１光路Ｔ１における導光部１００での通算反射回数であり、ｍ（ｍ＜ｎを満たす自然数）は、第２光路Ｔ１における導光部１００での通算反射回数であり、一対の平面ミラー１０２の隙間２２での通算反射回数は（２ｍ＋１）回となる。
【００９２】
＜まとめ＞
このように、第２実施形態（方向転換ミラー８４）とは異なり、導光部１００は、一対の平面ミラー１０２の延在方向に沿って並んで固定配置される固定ミラー対１０３を設けてもよい。特に、この構成を採用することで、導光部５０（図３）の場合と同様のポンプ光Ｌｐの挙動が得られると共に、可動部（第１平面ミラー１０４）の小サイズ化を図ることができる。つまり、ボイスコイル３２の負荷の軽減に伴って機械的な応答性が向上すると共に、ミラー駆動部１８を構成する電子回路を小型化できる利点がある。
【００９３】
［第３実施形態］
＜照明装置１１０の全体構成＞
図７は、第３実施形態に係る照明装置１１０の全体構成図である。この照明装置１１０は、ポンプ光源１２と、一対の平面ミラー１１２及び３つのダイクロイックミラー１１４〜１１６から構成される導光部１１８と、ミラー駆動部１２０と、蛍光発生部１２２を含む。
【００９４】
一対の平面ミラー１１２は、第１平面ミラー１２４及び第２平面ミラー１２６を互いに平行な位置関係下に対向配置してなる。第１平面ミラー１２４及び第２平面ミラー１２６はそれぞれ、ミラー駆動部１２０により移動可能に配置されている。なお、一対の平面ミラー１１２の一方の外側にはポンプ光源１２が配置されると共に、一対の平面ミラー１１２の他方の外側には蛍光発生部１２２が配置されている。
【００９５】
ダイクロイックミラー１１４〜１１６は、特定の波長範囲の光を反射すると共に、残りの波長範囲の光を透過する光選択部材である。ダイクロイックミラー１１４〜１１６は、例えば、蛍光Ｒの波長成分を反射する光学部材から構成される。
【００９６】
ミラー駆動部１２０は、一対の平面ミラー１１２を法線方向に沿って相対移動させる駆動手段である。ミラー駆動部１２０は、ビデオ信号を含む入力信号に基づいて駆動波形信号を生成する波形生成部１２８と、生成された駆動波形信号を増幅する増幅器１３０、１３２と、増幅された駆動波形信号に応じて伸縮可能なボイスコイル１３４、１３６（直線移動手段）と、第１平面ミラー１２４の現在位置又は移動タイミングを検出可能な位置時間センサ１３８と、第２平面ミラー１２６の現在位置又は移動タイミングを検出可能な位置時間センサ１４０を備える。
【００９７】
ボイスコイル１３４は、その一端側が第１平面ミラー１２４の外側面に直結されている。これにより、第１平面ミラー１２４は、ボイスコイル１３４の伸縮動作に応じて、第１平面ミラー１２４の法線方向に沿って振動する。ボイスコイル１３６は、その一端側が第２平面ミラー１２６の外側面に直結されている。これにより、第２平面ミラー１２６は、ボイスコイル１３６の伸縮動作に応じて、第２平面ミラー１２６の法線方向に沿って振動する。なお、波形生成部１２８は、位置時間センサ１３８、１４０からの検出信号に基づいて、一対の平面ミラー１１２の移動に関する同期制御を実行する。
【００９８】
蛍光発生部１２２は、複数（ここでは３つ）の蛍光要素１４２、１４３、１４４と、１つのヒートシンク１４６と、３つの集光光学系１４８、１４９、１５０を備える。蛍光要素１４２〜１４４は、ポンプ光Ｌｐの受光をトリガとして、ポンプ光Ｌｐ（青色光）とは異なる分光放射特性を有する蛍光Ｒ、Ｂ、Ｇを放射する。蛍光要素１４２は、赤色光を主成分とする蛍光Ｒを放射する蛍光体から構成される。蛍光要素１４３は、青色光を主成分とする蛍光Ｂを放射する蛍光体から構成される。蛍光要素１４４は、緑色光を主成分とする蛍光Ｇを放射する蛍光体から構成される。
【００９９】
なお、蛍光要素１４２は、ボイスコイル１３４の「オフ動作」かつボイスコイル１３６の「オフ動作」の際に形成される第１光路Ｔ１の上に位置する。また、蛍光要素１４３は、ボイスコイル１３４の「オン動作」かつボイスコイル１３６の「オフ動作」に形成される第２光路Ｔ２の上に位置する。また、蛍光要素１４４は、ボイスコイル１３４の「オン動作」かつボイスコイル１３６の「オン動作」に形成される第３光路Ｔ３の上に位置する。図示の便宜上、第１光路Ｔ１、第２光路Ｔ２、第３光路Ｔ３の位置及び形状を誇張して描画している。
【０１００】
ヒートシンク１４６は、例えばアルミニウムを含む金属で構成され、蛍光要素１４２〜１４４の発熱を外部に逃がす放熱器である。本図例では、共通するヒートシンク１４６の上に、複数の蛍光要素１４２〜１４４が所定の間隔だけ離れて配置されている。
【０１０１】
集光光学系１４８は、１つ又は複数のレンズから構成され、第１光路Ｔ１の光軸上であって蛍光要素１４２の直上に配置されている。また、ダイクロイックミラー１１４は、第１光路Ｔ１の光軸上であって、一対の平面ミラー１１２と集光光学系１４８の間に配置されている。これにより、ダイクロイックミラー１１４は、蛍光要素１４２に向けてポンプ光Ｌｐを反射すると共に、蛍光要素１４２からの蛍光Ｒを透過する。
【０１０２】
集光光学系１４９は、１つ又は複数のレンズで構成され、第２光路Ｔ２の光軸上であって蛍光要素１４３の直上に配置されている。また、ダイクロイックミラー１１５は、第２光路Ｔ２の光軸上であって、一対の平面ミラー１１２と集光光学系１４９の間に配置されている。このダイクロイックミラー１１５は、ポンプ光Ｌｐのピーク波長を含む狭い波長範囲の光を反射し、残りの波長範囲の光を透過するバンドパス型の分光反射特性を有する。これにより、ダイクロイックミラー１１５は、蛍光要素１４３に向けてポンプ光Ｌｐを反射すると共に、蛍光要素１４３からの蛍光Ｂを透過する。
【０１０３】
集光光学系１５０は、１つ又は複数のレンズで構成され、第３光路Ｔ３の光軸上であって蛍光要素１４４の直上に配置されている。また、ダイクロイックミラー１１６は、第３光路Ｔ３の光軸上であって、一対の平面ミラー１１２と集光光学系１５０の間に配置されている。これにより、ダイクロイックミラー１１６は、蛍光要素１４４に向けてポンプ光Ｌｐを反射すると共に、蛍光要素１４４からの蛍光Ｇを透過する。
【０１０４】
＜照明装置１１０の動作＞
第３実施形態に係る照明装置１１０は、以上のように構成される。続いて、照明装置１１０による照明動作について説明する。
【０１０５】
ボイスコイル１３４の「オフ動作」かつボイスコイル１３６の「オフ動作」の際、一対の平面ミラー１１２は、初期位置の状態（以下、第１相対位置ともいう）にある。このとき、ポンプ光源１２から放射されたポンプ光Ｌｐは、一対の平面ミラー１１２の隙間２２に入射し、隙間２２にて複数回反射した後、一対の平面ミラー１１２から出射する。
【０１０６】
一対の平面ミラー１１２からのポンプ光Ｌｐは、第１光路Ｔ１に沿って、ダイクロイックミラー１１４を反射し、集光光学系１４８を通過し、蛍光要素１４２に到達する。蛍光要素１４２により放射された蛍光Ｒは、第１光路Ｔ１に沿って、集光光学系１４８を通過し、ダイクロイックミラー１１４を透過する。これにより、照明装置１１０は、第１光路Ｔ１に対応する蛍光Ｒを出力する。
【０１０７】
ボイスコイル１３４の「オン動作」かつボイスコイル１３６の「オフ動作」の際、一対の平面ミラー１１２は、中間位置の状態（以下、第２相対位置ともいう）にある。このとき、ポンプ光源１２から放射されたポンプ光Ｌｐは、一対の平面ミラー１１２の隙間２２に入射し、隙間２２にて複数回反射した後、一対の平面ミラー１１２から出射する。
【０１０８】
一対の平面ミラー１１２からのポンプ光Ｌｐは、第１光路Ｔ１とは異なる第２光路Ｔ２に沿って、ダイクロイックミラー１１５を反射し、集光光学系１４９を通過し、蛍光要素１４３に到達する。蛍光要素１４３により放射された蛍光Ｂは、第２光路Ｔ２に沿って、集光光学系１４９を通過し、ダイクロイックミラー１１５を透過する。これにより、照明装置１１０は、第２光路Ｔ２に対応する蛍光Ｂを出力する。
【０１０９】
ボイスコイル１３４の「オン動作」かつボイスコイル１３６の「オン動作」の際、一対の平面ミラー１１２は、近接位置の状態（以下、第３相対位置ともいう）にある。このとき、ポンプ光源１２から放射されたポンプ光Ｌｐは、一対の平面ミラー１１２の隙間２２に入射し、隙間２２にて複数回反射した後、一対の平面ミラー１１２から出射する。
【０１１０】
一対の平面ミラー１１２からのポンプ光Ｌｐは、第１光路Ｔ１、第２光路Ｔ２とはそれぞれ異なる第３光路Ｔ３に沿って、ダイクロイックミラー１１６を反射し、集光光学系１５０を通過し、蛍光要素１４４に到達する。蛍光要素１４４により放射された蛍光Ｇは、第３光路Ｔ３に沿って、集光光学系１５０を通過し、ダイクロイックミラー１１６を透過する。これにより、照明装置１１０は、第３光路Ｔ３に対応する蛍光Ｇを出力する。
【０１１１】
＜第３実施形態による効果＞
以上のように、第３実施形態に係る照明装置１１０は、［１］ポンプ光Ｌｐを放射するポンプ光源１２と、［２］互いに平行な位置関係下に対向配置される一対の平面ミラー１１２と、［３］一対の平面ミラー１１２を法線方向に沿って相対移動させることで、一対の平面ミラー１１２の離間長さを変更可能なボイスコイル１３４、１３６と、［４］ポンプ光Ｌｐの受光に応じてポンプ光Ｌｐとは分光放射特性が異なる蛍光Ｒ、Ｂ、Ｇを放射する複数の蛍光要素１４２〜１４４と、を備える。
【０１１２】
そして、［５］ポンプ光源１２及び各々の蛍光要素１４２〜１４４は、一対の平面ミラー１１２の外側に配置され、［６］各々の蛍光要素１４２〜１４４は、ポンプ光源１２から放射されるポンプ光Ｌｐが、一対の平面ミラー１１２の隙間２２に入射し隙間２２にて複数回反射した後に一対の平面ミラー１１２から出射する、いずれか１つの光路（第１光路Ｔ１、第２光路Ｔ２、第３光路Ｔ３）上に位置する。
【０１１３】
特に、第３実施形態では、［７］ボイスコイル１３４、１３６は、一対の平面ミラー１１２のうちの両方に１つずつ設けられており、［８］ボイスコイル１３４、１３６は、少なくとも、離間長さが異なる第１〜第３相対位置に一対の平面ミラー１１２を相対移動可能であり、［９］第１〜第３相対位置に対応するポンプ光Ｌｐの出射方向はいずれも一致し、［１０］第１〜第３相対位置に対応するポンプ光Ｌｐの反射回数はいずれも等しい。
【０１１４】
また、第３実施形態に係る照明方法は、［１］互いに平行な位置関係下に対向配置される一対の平面ミラー１１２の外側にポンプ光源１２及び各々の蛍光要素１４２〜１４４を配置する配置ステップと、［２］一対の平面ミラー１１２を法線方向に沿って相対移動させることで、一対の平面ミラー１１２の離間長さを変更する移動ステップと、［３］ポンプ光源１２がポンプ光Ｌｐを放射する放射ステップと、を備える。
【０１１５】
この構成によっても、蛍光要素１４２〜１４４の位置を切り替えるための回転機構を搭載することなく、きわめて簡単かつ小型な構成によってポンプ光Ｌｐの導光設計を容易に実行できる。
【０１１６】
＜第３実施形態の変形例＞
図７の蛍光発生部１２２は、すべての蛍光Ｒ、Ｂ、Ｇに対応する蛍光要素１４２〜１４４を備えているが、この形態に限られない。例えば、蛍光Ｂの発光効率が低い蛍光要素１４３を介さずに、ポンプ光Ｌｐをそのまま利用する形態を採用してもよい。具体的には、蛍光要素１４３及び集光光学系１４９を省略すると共に、ダイクロイックミラー１１５の配置向きを変更する。これにより、照明装置は、第２光路Ｔ２を進行するポンプ光Ｌｐを、１種類の原色光（Ｂ）としてそのまま出力できる。
【０１１７】
これとは別の形態として、ポンプ光Ｌｐとは異なる光源を設けてもよい。具体的には、第２光路Ｔ２に向けて原色光（Ｂ）を放射可能な青色ＬＥＤ（Light Emitting Diode）を配置する。これにより、照明装置は、ポンプ光Ｌｐとは発生源が異なる原色光を出力できる。
【０１１８】
［補足］
なお、この発明は、上述した実施形態及び変形例に限定されるものではなく、この発明の主旨を逸脱しない範囲で自由に変更できる。或いは、技術的に矛盾が生じない範囲で各構成を任意に組み合わせてもよいことは勿論である。
【符号の説明】
【０１１９】
１０、８０、１１０‥照明装置            １２‥ポンプ光源
１４、５２、８２、１０２、１１２‥一対の平面ミラー
１６、５０、８６、１００、１１８‥導光部
１８、１２０‥ミラー駆動部
２０、８８、１２２‥蛍光発生部          ２２‥隙間
２４、５４、９０、１０４、１２４‥第１平面ミラー
２６、５６、９２、１０６、１２６‥第２平面ミラー
２８、１２８‥波形生成器                ３０、１３０、１３２‥増幅器
３２、１３４、１３６‥ボイスコイル（直線アクチュエータ）
３４、１３８、１４０‥位置時間センサ    ３６、３８、１４２〜１４４‥蛍光要素
４０、９４、９６、１４６‥ヒートシンク
４２、４４、１１４〜１１６‥ダイクロイックミラー
４６、４８、１４８〜１５０‥集光光学系  ５７‥非透光部
５８‥透光部                            ８４‥方向転換ミラー
１０３‥固定ミラー対                    １０８‥空間部
Ｌｐ‥ポンプ光                          Ｒ、Ｂ、Ｇ‥蛍光
Ｔ１‥第１光路                          Ｔ２‥第２光路
Ｔ３‥第３光路
【図１】
2017142900.tif 000003
【図２】
2017142900.tif 000004
【図３】
2017142900.tif 000005
【図４】
2017142900.tif 000006
【図５】
2017142900.tif 000007
【図６】
2017142900.tif 000008
【図７】
2017142900.tif 000009